(57)【要約】【課題】電子装置およびその外部電源供給装置の制御方法を提供する。【解決手段】本発明による電子装置１は、オン状態とオフ状態を有する外部電源供給装置５と電気接続し、該電子装置はスイッチモジュール２と、内部電源モジュール３とを含み、スイッチモジュールが触発されると、スイッチ信号を生成する。内部電源モジュールは、スイッチ信号を受信し、トリガ信号を生成して、外部電源供給装置に伝送することにより、外部電源供給装置をオフ状態からオン状態に切り換え、該外部電源供給装置は、電子装置に電源を供給する。【選択図】  図２
2010183557.tif 000002
【特許請求の範囲】
【請求項１】
外部電源供給装置と電気接続する一種の電子装置において、
前記外部電源供給装置は、オン状態とオフ状態とを含み、
前記電子装置は、スイッチモジュールと内部電源モジュールとを含み、
前記スイッチモジュールは、触発されると、スイッチ信号を生成し、
前記内部電源モジュールは、前記スイッチ信号を受信し、トリガ信号を生成して、外部電源供給装置に伝送し、前記外部電源供給装置を触発して、前記オフ状態から前記オン状態に切り換えて、前記電子装置に電源を供給することを特徴とする、電子装置。
【請求項２】
当該電子装置は、有線ケーブルまたは無線伝送方式により、前記外部電源供給装置と電気接続することを特徴とする、請求項１記載の電子装置。
【請求項３】
前記スイッチモジュールは、触発されると、レベル切り換えセクションを含む前記スイッチ信号を生成することを特徴とする、請求項１記載の電子装置。
【請求項４】
前記トリガ信号は、前記外部電源供給装置を触発し、前記レベル切り換えセクションにて、前記外部電源供給装置が前記電源を供給することを特徴とする、請求項３記載の電子装置。
【請求項５】
信号維持モジュールをさらに含み、前記内部電源モジュールと前記外部電源供給装置との間に電気接続し、前記トリガ信号の前記レベル切り換えセクションを延長することを特徴とする、請求項４記載の電子装置。
【請求項６】
制御モジュールをさらに含み、
前記制御モジュールは、前記レベル切り換えセクションの前記電源と、前記スイッチ信号とを受信し、制御信号を生成し、前記外部電源供給装置に伝送し、前記外部電源供給装置の状態を制御することを特徴とする、請求項４記載の電子装置。
【請求項７】
制限モジュールをさらに含み、前記内部電源モジュールと前記外部電源供給装置との間に電気接続し、前記トリガ信号の信号レベルを引き下げることを特徴とする、請求項１記載の電子装置。
【請求項８】
遅延モジュールをさらに含み、前記スイッチモジュールと前記制御モジュールとの間に電気接続し、
前記遅延モジュールは、前記スイッチモジュールより伝送された前記スイッチ信号を受信した後、所定の遅延期間を経過して、前記スイッチ信号を前記制御モジュールに伝送することを特徴とする、請求項６記載の電子装置。
【請求項９】
前記制御モジュールはさらに、電気容量検知ユニットを含み、
前記電気容量検知ユニットは、所定期間おきに、前記内部電源モジュールの電池容量を検知し、前記電池容量により、充電必要性を判断し、前記外部電源供給装置の状態を制御することを特徴とする、請求項６記載の電子装置。
【請求項１０】
ウェイク・オン・ランモジュールをさらに含み、前記制御モジュールと電気接続し、
前記制御モジュールは、前記ウェイク・オン・ラン機能の実行有無を判断し、前記外部電源供給装置の状態を制御することを特徴とする、請求項６記載の電子装置。
【請求項１１】
外部電源供給装置の制御方法であって、内部電源モジュールを備える電子装置に運用し、前記電子装置は、前記外部電源供給装置と電気接続し、そのうち、前記外部電源供給装置は、オン状態とオフ状態とを含む、外部電源供給装置の制御方法において、
電子装置内のスイッチモジュールが触発されると、スイッチ信号を生成し、
内部電源モジュールは、前記スイッチ信号を受信し、トリガ信号を生成して、外部電源供給装置に伝送し、
外部電源供給装置が前記トリガ信号を受信したときは、オフ状態からオン状態に切り換えて、電源を電子装置に供給することを特徴とする、外部電源供給装置の制御方法。
【請求項１２】
前記電子装置は、有線ケーブルまたは無線伝送方式により、前記外部電源供給装置と電気接続することを特徴とする、請求項１１記載の外部電源供給装置の制御方法。
【請求項１３】
前記スイッチモジュールが触発されると、レベル切り換えセクションを含む前記スイッチ信号を生成することを特徴とする、請求項１１記載の外部電源供給装置の制御方法。
【請求項１４】
前記トリガ信号は、前記外部電源供給装置を触発し、前記レベル切り換えセクションにて、前記外部電源供給装置が前記電源を供給することを特徴とする、請求項１３記載の外部電源供給装置の制御方法。
【請求項１５】
信号維持プロセスをさらに含み、
信号維持モジュールにより、前記トリガ信号の前記レベル切り換えセクションを延長することを特徴とする、請求項１４記載の外部電源供給装置の制御方法。
【請求項１６】
制御プロセスをさらに含み、
制御モジュールより、前記レベル切り換えセクションの前記電源と前記スイッチ信号を受信し、制御信号を生成して、前記外部電源供給装置に供給し、前記外部電源供給装置の状態を制御することを特徴とする、請求項１４記載の外部電源供給装置の制御方法。
【請求項１７】
制限プロセスをさらに含み、
制限モジュールにより、前記トリガ信号の信号レベルを引き下げることを特徴とする、請求項１１記載の外部電源供給装置の制御方法。
【請求項１８】
遅延プロセスをさらに含み、
前記遅延モジュールにより、前記スイッチ信号を所定の遅延時間を経過した後に、前記制御モジュールに伝送することを特徴とする、請求項１６記載の外部電源供給装置の制御方法。
【請求項１９】
電気容量検知プロセスをさらに含み、
前記制御モジュール内蔵の電気容量検知ユニットにより、所定期間おきに、前記電気容量検知ユニットの電源モジュールの電池容量を検知し、前記電池容量に基づいて、前記充電式電池の充電必要性を判断し、前記外部電源供給装置の制御することを特徴とする、請求項１６記載の外部電源供給装置の制御方法。
【請求項２０】
判断プロセスをさらに含み、
前記電子装置がシャットダウンされたときに、前記制御モジュールは、前記電子装置がウェイク・オン・ラン機能の実行の有無を判断し、判断結果を生成し、前記判断結果に従い、前記外部電源供給装置の状態を制御することを特徴とする、請求項１６記載の外部電源供給装置の制御方法。
【発明の詳細な説明】
【技術分野】
【０００１】
本発明は電子装置およびその外部電源供給装置の制御方法に係わり、特に一種の外部電源供給装置をオフ状態からオン状態に切り換え、制御できる電子装置に係わる。
【背景技術】
【０００２】
環境保護への意識向上から、ますます多くの使用者が電子装置の低消費電力化が期待されている一方、大部分の電子装置は、電源供給装置を使用して、電力の供給をする。しかしながら、従来の電子装置がオフ状態または待機時、電源装置から常に電力の供給をしているようになっていたため、不要な消費電力となってしまう。
【発明の概要】
【発明が解決しようとする課題】
【０００３】
現在、すでに一種のオン／オフ状態が制御できる電源装置を開発されているが、この種の電源装置では、必要な電力の供給を求める際、使用者より、電源装置のスイッチをオンしてから、電子装置のスイッチをオンする操作の必要があり、操作が不便である。
【課題を解決するための手段】
【０００４】
本発明は前記した先行技術の課題を鑑みて、外部電源供給装置の状態を制御でき、使用者より、電子装置のスイッチと電源装置のスイッチとを操作する必要があるという先行技術の課題を解決するため、一種の電子装置およびその外部電源供給装置の制御方法を提供することを本発明の主な目的とする。
【０００５】
本発明の目的により、スイッチモジュールと内部電源モジュールを含む一種の電子装置を供給する。スイッチモジュールが触発ないしは起動されると、スイッチ信号を生成する。内部電源モジュールは、スイッチ信号を受信し、トリガ信号を生成し、外部電源供給装置に伝送し、外部電源供給装置を触発して、オフ状態からオン状態に切り換え、電子装置に電源を供給する。
【０００６】
本発明はさらに、外部電源供給装置の制御方法を供給する。以下のプロセスを含む。まず、スイッチ信号を生成するプロセス：電子装置内のスイッチモジュールが触発されると、スイッチ信号を生成する。これから、トリガ信号を供給するプロセル：内部電源モジュールは、スイッチ信号を受信し、トリガ信号を生成して、外部電源供給装置に伝送する。最後に、電源を供給するプロセス：外部電源供給装置が該トリガ信号を受信したときに、オフ状態からオン状態に切り換えて、電子装置に電源を供給する。
【発明の効果】
【０００７】
上記の通り、本発明による外部電源供給装置の制御方法およびそれを用いた電子装置は、以下の一つ又は複数の長所を有する。
【０００８】
イ．本発明の電子装置は、内部電源モジュールより、外部電源供給装置を起動させるための触発電源を供給できる。
【０００９】
ロ．本発明の内部電源モジュールは、トリガ信号のレベル切り換えセクションのみに電気消費される。
【００１０】
ハ．本発明の電子装置は、内部電源モジュールの充電必要により、外部電源供給装置の状態を制御できる。
【００１１】
ニ．本発明の電子装置は、ウェイク・オン・ラン機能の実行の有無により、外部電源供給装置の状態を制御できる。
【図面の簡単な説明】
【００１２】
【図１】本発明の電子装置の第１実施形態によるシステム構成図である。
【図２】本発明の電子装置の第２実施形態によるシステム構成図である。
【図３】本発明の電子装置の信号波形態様図である。
【図４】本発明の外部電源供給装置の第１制御方法のプロセス態様図である。
【図５】本発明の外部電源供給装置の第２制御方法のプロセス態様図である。
【図６】本発明の外部電源供給装置の第３制御方法のプロセス態様図である。
【発明を実施するための形態】
【００１３】
［第1実施形態］
図１は、本発明の電子装置の第１実施形態によるシステム構成図を示す。この図において、電子装置１は、オン状態とオフ状態を備えた外部電源供給装置５と電気接続し、電子装置１は、スイッチモジュール２、内部電源モジュール３と、制御モジュール４を含む。スイッチモジュール２が触発されると、スイッチ信号２１を生成する。
【００１４】
内部電源モジュール３は、スイッチ信号２１を受信し、トリガ信号３１を生成し、外部電源供給装置５に伝送し、触発して、外部電源供給装置５をオフ状態からオン状態に切り換え、電子装置１に電源５１を供給する。
【００１５】
制御モジュール４は、電源５１と、スイッチ信号２１を受信して、制御信号４１を生成し、外部電源供給装置５に伝送して、外部電源供給装置５の状態を制御する。
【００１６】
実際に応用する際には、携帯式パソコンを電子装置１として例示する。外部電源供給装置５は、電源ケーブル（ｃａｂｌｅ）を介して、携帯式パソコンと接続し、電源５１を携帯式パソコンに供給する。使用者が、購入したばかりの携帯式パソコンを起動しようとする際には、外部電源供給装置５はオフ状態になっているため、電力を供給することができないし、充電式電池もまだ電力が持っていない。この場合に、まず、本発明による内部電源モジュール３を外部電源供給装置５に触発電力を供給し、該内部電源モジュール３は、たとえば、リチウム電池または水銀電池である。先行技術において、該内部電源モジュール３は、リアルタイムクロック（ＲＴＣ）のみに電力を供給する。これから、本発明において、携帯式パソコンのスイッチモジュール２が触発されて、起動の要求をされると、内部電源モジュール３は、スイッチモジュール２より、出力されるレベル切り換えセクション２１１を含んだスイッチ信号２１に基づいて、同じレベル切り換えセクションのトリガ信号３１を生成し、外部電源供給装置５に伝送し、触発して、外部電源供給装置５をオフ状態からオン状態に切り換え、レベル切り換えセクション内、電源５１を電子装置１に供給する。最後に、制御モジュール４は、たとえば組込コントローラー（ＥＣ）であり、外部電源供給装置５から供給された電源５１とスイッチモジュール２から供給されたスイッチ信号２１により、制御信号４１を生成し、外部電源供給装置５に伝送し、外部電源供給装置５をオン状態に維持する。その後、電子装置１が、電源５１の入力によって、オン状態になることは、当該分野の技術者の熟知範囲であり、ここでの説明を省略する。
【００１７】
上記の通り、内部電源モジュール３は、該レベル切り換えセクションのみに電気消費される。これ以降、制御モジュール４は、外部電源供給装置５から電源５１を供給することにより、制御信号４１を生成し、外部電源供給装置５の状態を制御する、そのため、内部電源モジュール３は、使え始めたすぐに電力が切ることがない。そのほか、充電式電池に電力を持っているとき、充電式電池は、外部電源供給装置５にオン状態に切り換えるための触発電力が供給できる。また、電子装置１は、電源ケーブルのほか、無線伝送手段により、外部電源供給装置５と電気接続し、信号伝送ならびに外部電源供給装置５から供給された電源５１を受け入れることができる。
【００１８】
［第２実施形態］
図２は、本発明の電子装置の第２実施形態によるシステム構成図を示す。図１との違いは、図２はさらに信号維持モジュール６、制限モジュール７、遅延モジュール８、電気容量検知ユニット４２と、ウェイク・オン・ランモジュール９とを含む。信号維持モジュール６は、内部電源モジュール３と外部電源供給装置５との間に電気接続し、トリガ信号３１のレベル切り換えセクションを延長することに用いる。
【００１９】
制限モジュール７は、内部電源モジュール３と外部電源供給装置５との間に電気接続し、トリガ信号３１の信号レベルを引き下げることに用いる。仮に、内部電源モジュール３がスイッチ信号２１を受信されていないときでも、低電圧レベル３１２のトリガ信号３１を送信できる。これに対して、スイッチ信号２１を受信されたときに、高電圧レベル３１３のトリガ信号３１を送信できる。該制限モジュール７は、低電圧レベル３１２のトリガ信号３１をゼロレベルに維持することにより、低電圧レベル３１２のトリガ信号３１による外部電源供給装置５への触発を避けることができる。
【００２０】
遅延モジュール８は、スイッチモジュール２と制御モジュール４との間に電気接続する。遅延モジュール８は、スイッチモジュール２より送り出されたスイッチ信号２１を受信した後、所定の遅延期間を経過してから、スイッチ信号２１を制御モジュール４に伝送する。
【００２１】
前述の信号維持モジュール６と遅延モジュール８の設置目的は、制御モジュール４は、外部電源供給装置５より供給された電源５１を受け入れてから、スイッチ信号２１により、制御信号４１を生成する。よって、信号維持モジュール６の設置により、トリガ信号３１による外部電源供給装置５を触発して、電源５１の供給期間を制御モジュール４より制御信号４１が発信されるまでに延長でき、外部電源供給装置５を制御し、電源５１を安定に供給する。さらに、遅延モジュール８の設置は、制御モジュール４は、電源５１を受け入れてから、スイッチ信号２１の受信が始まる。
【００２２】
電気容量検知ユニット４２は、制御モジュール４の内部に設ける。電子装置１に充電式電池を備えた場合に、電気容量検知ユニット４２は、所定時間おきに、内部電源モジュール３の電池容量をチェックし、電池の充電が必要かどうかにより、外部電源供給装置５のオン状態又はオフ状態を制御する。
【００２３】
ウェイク・オン・ランモジュール９は、制御モジュール４と電気接続し、ウェイク・オン・ラン機能を実行することにより、電子装置１は、ネットワークから伝送した遠隔制御信号に従い、オン又はオフする。制御モジュール４は、ウェイク・オン・ラン機能が実行されていたときに、外部電源供給装置５をオン状態に維持する。
【００２４】
図３は、本発明による電子装置の信号波形図を示す。図３を参照し、トリガ信号３１は、信号維持モジュール６を介して、レベル切り換えセクション３１１を延長しているため、レベル切り換えセクション３１１はスイッチ信号２１のレベル切り換えセクション２１１より長いとなる。外部電源供給装置の状態５２はトリガ信号３１が高電圧レベル３１３に切り換えると同時に、オフ状態からオン状態に切り換える。その後、外部電源供給装置５は稼働を開始し、電源５１を電子装置１に電力を供給し始める。制御モジュール４は、電源５１と遅延モジュール８を介して、出力されたスイッチ信号２１を受け入れてから、制御信号４１を生成し、外部電源供給装置５の状態を制御する。図３に示す通り、外部電源供給装置５は、Ａラインに到達する前には、トリガ信号３１によって触発して、電力を供給するが、Ａラインに到達した後、制御信号４１によって、外部電源供給装置５の状態制御を行う。
【００２５】
図４は、本発明の外部電源供給装置の第１制御方法のプロセス態様図を示す。図４を参照し、内部電源モジュール３の電子装置１に適する外部電源供給装置の第１制御方法。該電子装置１は、外部電源供給装置５と電気接続されている。そのうち、外部電源供給装置５は、オン状態とオフ状態を含み、該制御方法は、以下のプロセスを含む。
【００２６】
プロセスＳ４０１：スイッチ信号２１を生成する。電子装置１のスイッチモジュール２が触発されると、スイッチ信号２１を生成する。
【００２７】
プロセスＳ４０２：トリガ信号３１を供給する。内部電源モジュール３は、スイッチ信号２１を受信し、トリガ信号３１を生成して、外部電源供給装置５に伝送する。
【００２８】
プロセスＳ４０３：電源５１を供給する。外部電源供給装置５がトリガ信号３１を受信したときに、オフ状態からオン状態に切り換えて、電源５１を電子装置１に供給する。
【００２９】
使用者は、上記プロセスに従い、電子装置１を起動するときに、プロセスＳ４０１により、電子装置１内のスイッチモジュール２が触発されると、スイッチ信号２１を生成する。プロセスＳ４０２により、電子装置１は、内部電源モジュール３を介して、プロセスＳ４０１にて、生成されたスイッチ信号２１を受信し、トリガ信号３１を生成して、外部電源供給装置５に供給する。プロセスＳ４０２にはさらに、制限プロセスと、信号維持プロセスを含む。制限プロセスは、制限モジュール７により、プロセスＳ４０２にて、生成されたトリガ信号３１の信号レベルを引き下げるに用いる。信号維持プロセスは、信号維持モジュール６により、プロセスＳ４０２にて、生成されたトリガ信号３１のレベル切り換えセクション３１１を延長するに用いる。プロセスＳ４０３により、外部電源供給装置５がトリガ信号３１を受信がしたときに、オフ状態からオン状態に切り換えて、電源５１を電子装置１に供給する。プロセスＳ４０３の後は、さらに制御プロセスを含み、制御モジュール４がプロセスＳ４０３にて、供給されたこのレベル切り換えセクションの電源５１と、プロセスＳ４０１にて、生成されたスイッチ信号２１により、制御信号４１を生成して、外部電源供給装置５に伝送することにより、外部電源供給装置５の状態を制御する。そのうち、制御モジュール４は、プロセスＳ４０１にて、生成されたスイッチ信号２１を受信する前に、さらに遅延モジュール８を介して、スイッチ信号２１に所定の遅延期間を経過してから、制御モジュール４に伝送する遅延プロセスを含む。
【００３０】
本発明は、プロセスＳ４０１にて、生成されたスイッチ信号２１により、外部電源供給装置５を制御するほか、さらに内部電源モジュール３の電池容量により、外部電源供給装置５の状態を制御できる。図５を参照し、プロセスＳ５０１は、制御モジュール４内の電気容量検知ユニット４２により、所定時間おきに立ち上がり、プロセスＳ５０２にて、内部電源モジュール３の電池容量を検知し、充電必要性を判断する。電池容量が設定の下限値を下回る場合には、プロセスＳ５０３にて、外部電源供給装置５を立ち上がって内部電源モジュール３に充電を行う。これに対して、電池容量が設定の上限値を上回る場合には、プロセスＳ５０４にて、制御モジュール４をふたたびスリープモードの状態になる。
【００３１】
このほか、本発明は、ウェイク・オン・ラン機能の実行かどうかにより、外部電源供給装置の状態を制御できる。図６を参照し、プロセスＳ６０１にて、電子装置１がシャットダウンしているとき、プロセスＳ６０２は、制御モジュール４により、電子装置１内のウェイク・オン・ランモジュール９よりウェイク・オン・ラン機能を実行する必要性を判断し、その判断結果に従う。例えば、ウェイク・オン・ラン機能が実行する必要があると判断されたとき、プロセスＳ６０３にて、外部電源供給装置５をオンする。これに対して、ウェイク・オン・ラン機能を実行する必要がないと判断さたき、プロセスＳ６０４にて、外部電源供給装置５をオフする。
【００３２】
上記の説明通り、本発明による外部電源供給装置の制御方法およびそれを用いた電子装置の効果は、外部電源供給装置５がオフ状態にいると、電子装置１に電力を供給しない場合に、電子装置１は、内部電源モジュール３より外部電源供給装置５起動ための触発電源を供給する。さらに、電子装置１内の制御モジュール４は, 電源管理装置とし、スイッチ信号２１の有無、充電の必要性と、ウェイク・オン・ラン機能などにより、外部電源供給装置５の状態を制御する。
【００３３】
以上は実施形態の列挙であり、本発明になんらの制限を加わるものではない。本発明の精神と範囲を逸脱しない限り、その等効果修正又は変更は、なお、本明細書の特許請求の範囲に含まれるものとする。
【符号の説明】
【００３４】
１…電子装置、２…スイッチモジュール、２１…スイッチ信号、２１１…スイッチ信号のレベル切り換えセクション、３…内部電源モジュール、３１…トリガ信号、３１１…トリガ信号のレベル切り換えセクション、３１２…低電圧レベル、３１３…高電圧レベル、４…制御モジュール、４１…制御信号、４２…電気容量検知ユニット、５…外部電源供給装置、５１…電源、５２…外部電源供給装置の状態、６…信号維持モジュール、７…制限モジュール、８…遅延モジュール、９…ウェイク・オン・ランモジュール、Ｓ４０１〜Ｓ４０３、Ｓ５０１〜Ｓ５０４、Ｓ６０１〜Ｓ６０４…プロセス。
【図１】
2010183557.tif 000003
【図２】
2010183557.tif 000004
【図３】
2010183557.tif 000005
【図４】
2010183557.tif 000006
【図５】
2010183557.tif 000007
【図６】
2010183557.tif 000008